【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムであって、
前記管理サーバは、
前記クライアント端末の前記記憶装置の記憶領域を更新するディスクイメージを作成するクライアント端末を、前記複数のクライアント端末の中から決定する決定手段と、
前記決定手段にて決定されたクライアント端末に対して、前記更新モードで起動するように第１の起動指示を送信し、前記第１の起動指示の後に、前記作成モードで起動するように第２の起動指示を送信する送信制御手段と
を備え、
前記複数のクライアント端末はそれぞれ、
前記送信された起動指示に従って自端末を起動する起動制御手段と、
前記第１の起動指示に従って前記更新モードで起動した場合に、前記記憶装置の記憶領域の更新を受け付ける更新手段と、
前記第２の起動指示に従って前記作成モードで起動した場合に、前記更新を受け付けた前記記憶装置の記憶領域の内容を用いて前記ディスクイメージを作成するイメージ作成手段と
を備えることを特徴とする情報処理システム。
【請求項２】
前記イメージ作成手段は、前記更新を受け付けた前記記憶装置の記憶領域の当該更新された内容を用いて差分のディスクイメージを作成することを特徴とする請求項１に記載の情報処理システム。
【請求項３】
前記イメージ作成手段による前記ディスクイメージの作成後に、前記クライアント端末の記憶装置の記憶領域に対して受け付けた更新部分を更新前に戻す復旧手段
を備えることを特徴とする請求項１または２に記載の情報処理システム。
【請求項４】
前記送信制御手段は、前記復旧手段により前記クライアント端末の記憶装置の記憶領域に対して受け付けた更新部分を更新前に戻した後、前記クライアント端末に対して、前記記憶装置の記憶領域の更新内容を保持しない起動モードで起動するように起動指示を送信することを特徴とする請求項３に記載の情報処理システム。
【請求項５】
記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と通信可能に接続され、前記クライアント端末を起動するモードを制御する管理サーバであって、
前記クライアント端末の前記記憶装置の記憶領域を更新するディスクイメージを作成するクライアント端末を、前記複数のクライアント端末の中から決定する決定手段と、
前記決定手段にて決定されたクライアント端末に対して、前記更新モードで起動するように第１の起動指示を送信し、前記第１の起動指示の後に、前記作成モードで起動するように第２の起動指示を送信する送信制御手段と
を備えることを特徴とする管理サーバ。
【請求項６】
記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムの制御方法であって、
前記管理サーバは、
決定手段が、前記クライアント端末の前記記憶装置の記憶領域を更新するディスクイメージを作成するクライアント端末を、前記複数のクライアント端末の中から決定する決定ステップと、
送信制御手段が、前記決定ステップにて決定されたクライアント端末に対して、前記更新モードで起動するように第１の起動指示を送信し、前記第１の起動指示の後に、前記作成モードで起動するように第２の起動指示を送信する送信制御ステップと
を備え、
前記複数のクライアント端末はそれぞれ、
起動制御手段が、前記送信された起動指示に従って自端末を起動する起動制御ステップと、
更新手段が、前記第１の起動指示に従って前記更新モードで起動した場合に、前記記憶装置の記憶領域の更新を受け付ける更新ステップと、
イメージ作成手段が、前記第２の起動指示に従って前記作成モードで起動した場合に、前記更新を受け付けた前記記憶装置の記憶領域の内容を用いて前記ディスクイメージを作成するイメージ作成ステップと
を備えることを特徴とする情報処理システムの制御方法。
【請求項７】
記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムにおいて実行可能なプログラムであって、
前記管理サーバを、
前記クライアント端末の前記記憶装置の記憶領域を更新するディスクイメージを作成するクライアント端末を、前記複数のクライアント端末の中から決定する決定手段と、
前記決定手段にて決定されたクライアント端末に対して、前記更新モードで起動するように第１の起動指示を送信し、前記第１の起動指示の後に、前記作成モードで起動するように第２の起動指示を送信する送信制御手段
として機能させ、
前記複数のクライアント端末をそれぞれ、
前記送信された起動指示に従って自端末を起動する起動制御手段と、
前記第１の起動指示に従って前記更新モードで起動した場合に、前記記憶装置の記憶領域の更新を受け付ける更新手段と、
前記第２の起動指示に従って前記作成モードで起動した場合に、前記更新を受け付けた前記記憶装置の記憶領域の内容を用いて前記ディスクイメージを作成するイメージ作成手段
として機能させるためのプログラム。
【手続補正２】
【補正対象書類名】明細書
【補正対象項目名】発明の名称
【補正方法】変更
【補正の内容】
【発明の名称】情報処理システム、管理サーバ、制御方法、プログラム
【手続補正３】
【補正対象書類名】明細書
【補正対象項目名】０００６
【補正方法】変更
【補正の内容】
【０００６】
そこで、本発明では、任意のクライアント端末の記憶装置の記憶領域に対して更新を受け付け、当該記憶領域の内容を用いてディスクイメージを作成できる仕組みを提供することを目的とする。
【手続補正４】
【補正対象書類名】明細書
【補正対象項目名】０００７
【補正方法】変更
【補正の内容】
【０００７】
本発明の情報処理システムは、記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムであって、前記管理サーバは、前記クライアント端末の前記記憶装置の記憶領域を更新するディスクイメージを作成するクライアント端末を、前記複数のクライアント端末の中から決定する決定手段と、前記決定手段にて決定されたクライアント端末に対して、前記更新モードで起動するように第１の起動指示を送信し、前記第１の起動指示の後に、前記作成モードで起動するように第２の起動指示を送信する送信制御手段とを備え、前記複数のクライアント端末はそれぞれ、前記送信された起動指示に従って自端末を起動する起動制御手段と、前記第１の起動指示に従って前記更新モードで起動した場合に、前記記憶装置の記憶領域の更新を受け付ける更新手段と、前記第２の起動指示に従って前記作成モードで起動した場合に、前記更新を受け付けた前記記憶装置の記憶領域の内容を用いて前記ディスクイメージを作成するイメージ作成手段とを備えることを特徴とする。
【手続補正５】
【補正対象書類名】明細書
【補正対象項目名】０００８
【補正方法】変更
【補正の内容】
【０００８】
本発明の制御方法は、記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムの制御方法であって、前記管理サーバは、決定手段が、前記クライアント端末の前記記憶装置の記憶領域を更新するディスクイメージを作成するクライアント端末を、前記複数のクライアント端末の中から決定する決定ステップと、送信制御手段が、前記決定ステップにて決定されたクライアント端末に対して、前記更新モードで起動するように第１の起動指示を送信し、前記第１の起動指示の後に、前記作成モードで起動するように第２の起動指示を送信する送信制御ステップとを備え、前記複数のクライアント端末はそれぞれ、起動制御手段が、前記送信された起動指示に従って自端末を起動する起動制御ステップと、更新手段が、前記第１の起動指示に従って前記更新モードで起動した場合に、前記記憶装置の記憶領域の更新を受け付ける更新ステップと、イメージ作成手段が、前記第２の起動指示に従って前記作成モードで起動した場合に、前記更新を受け付けた前記記憶装置の記憶領域の内容を用いて前記ディスクイメージを作成するイメージ作成ステップとを備えることを特徴とする。
【手続補正６】
【補正対象書類名】明細書
【補正対象項目名】０００９
【補正方法】変更
【補正の内容】
【０００９】
本発明のプログラムは、記憶装置を持ち、前記記憶装置の記憶領域の更新内容を保持する更新モードと、前記記憶装置の記憶領域の内容を用いてディスクイメージを作成する作成モードとにより起動可能な複数のクライアント端末と、前記クライアント端末を起動するモードを制御する管理サーバとを含む情報処理システムにおいて実行可能なプログラムであって、前記管理サーバを、前記クライアント端末の前記記憶装置の記憶領域を更新するディスクイメージを作成するクライアント端末を、前記複数のクライアント端末の中から決定する決定手段と、前記決定手段にて決定されたクライアント端末に対して、前記更新モードで起動するように第１の起動指示を送信し、前記第１の起動指示の後に、前記作成モードで起動するように第２の起動指示を送信する送信制御手段として機能させ、前記複数のクライアント端末をそれぞれ、前記送信された起動指示に従って自端末を起動する起動制御手段と、前記第１の起動指示に従って前記更新モードで起動した場合に、前記記憶装置の記憶領域の更新を受け付ける更新手段と、前記第２の起動指示に従って前記作成モードで起動した場合に、前記更新を受け付けた前記記憶装置の記憶領域の内容を用いて前記ディスクイメージを作成するイメージ作成手段として機能させるためのプログラムである。
【手続補正７】
【補正対象書類名】明細書
【補正対象項目名】００１０
【補正方法】変更
【補正の内容】
【００１０】
本発明によると、任意のクライアント端末の記憶装置の記憶領域に対して更新を受け付け、当該記憶領域の内容を用いてディスクイメージを作成できる仕組みを提供することが可能となる。